(57)【要約】【課題】  新規に設置される伝送装置にＩＰアドレスを、従来に比べて容易かつ迅速に割り当てることができる技術を提供することを目的とする。【解決手段】  ネットワーク上に配置される複数の伝送装置と、ネットワークを監視し制御する制御装置と、を備え、各伝送装置は、複数の伝送装置の識別情報の一覧およびネットワークにおけるアドレス情報の一覧を有し、ネットワーク上に新規の伝送装置が設置される場合、制御装置より新規の伝送装置の識別情報を取得して識別情報の一覧に追加し、新規の伝送装置よりネットワーク上におけるアドレス情報の割り当てを要求する要求信号を受信すると、識別情報の一覧とアドレス情報の一覧とに基づいて、新規の伝送装置のアドレス情報を割り当てる。【選択図】    図１
2014127811.tif 000002
【特許請求の範囲】
【請求項１】
ネットワーク上に配置される複数の伝送装置と、
前記ネットワークを監視し制御する制御装置と、を備え、
前記各伝送装置は、前記複数の伝送装置の識別情報の一覧および前記ネットワークにおけるアドレス情報の一覧を有し、前記ネットワーク上に新規の伝送装置が設置される場合、前記制御装置より前記新規の伝送装置の識別情報を取得して前記識別情報の一覧に追加し、前記新規の伝送装置より前記ネットワーク上におけるアドレス情報の割り当てを要求する要求信号を受信すると、前記識別情報の一覧および前記アドレス情報の一覧に基づいて、前記新規の伝送装置のアドレス情報を割り当てる
ことを特徴とする伝送システム。
【請求項２】
請求項１に記載の伝送システムにおいて、
前記各伝送装置は、割り当てた前記新規の伝送装置のアドレス情報を複数のデータに分割し、分割された前記複数のデータを複数の波長の光信号を用いて並列に前記新規の伝送装置に送信し、
前記新規の伝送装置は、分割された前記複数のデータを受信して前記アドレス情報を再構築する
ことを特徴とする伝送システム。
【請求項３】
請求項１または請求項２に記載の伝送システムにおいて、
前記複数の伝送装置は、前記新規の伝送装置に対するアドレス情報の割り当て処理を行う優先順位が設定され、
前記優先順位が他の伝送装置に比べて高い伝送装置が、前記新規の伝送装置のアドレス情報を割り当てる
ことを特徴とする伝送システム。
【請求項４】
ネットワークとデータを送受信する送受信部と、
少なくとも自装置の識別情報を記憶する記憶部と、
前記データの送受信を制御する制御部と、を備え、
前記制御部は、自装置が前記ネットワーク上に新規に設置される場合、前記ネットワーク上におけるアドレス情報の割り当てを要求する要求信号を生成して前記要求信号に前記識別情報を付加し、前記識別情報が付加された前記要求信号を前記ネットワーク上の既存の伝送装置に送信し、前記既存の伝送装置に自装置の前記アドレス情報を割り当てさせる
ことを特徴とする伝送装置。
【請求項５】
請求項４に記載の伝送装置において、
前記送受信部は、複数の波長の光信号を用いてデータを隣接する前記伝送装置に伝送し、前記既存の伝送装置により割り当てられた前記アドレス情報を複数の光信号で分割された複数のデータとして並列に受信し、
前記制御部は、分割された前記複数のデータから前記アドレス情報を再構築する
ことを特徴とする伝送装置。
【請求項６】
請求項４に記載の伝送装置において、
前記記憶部は、自装置が既に前記ネットワーク上に配置されている場合、前記ネットワークを監視し制御する外部の制御装置より取得する前記ネットワーク上に配置された既存の少なくとも１つの伝送装置の識別情報の一覧および前記ネットワークにおけるアドレス情報の一覧を記憶し、
前記制御部は、前記ネットワーク上に新規の伝送装置が設置される場合、前記制御装置より前記新規の伝送装置の識別情報を取得して前記識別情報の一覧に追加し、前記新規の伝送装置より前記要求信号を受信すると、前記識別情報の一覧および前記アドレス情報の一覧に基づいて、前記新規の伝送装置のアドレス情報を割り当てる
ことを特徴とする伝送装置。
【請求項７】
請求項５に記載の伝送装置において、
前記送受信部は、複数の波長の光信号を用いて前記データを送受信し、
前記制御部は、割り当てた前記アドレス情報を複数のデータに分割し、前記送受信部に分割された前記複数のデータを複数の波長の光信号を用いて並列に前記新規の伝送装置に送信させる
ことを特徴とする伝送装置。
【発明の詳細な説明】
【技術分野】
【０００１】
本発明は、伝送システムおよび伝送装置に関する。
【背景技術】
【０００２】
従来、リングネットワーク上に新たな伝送装置が設置される場合、リングネットワークを監視制御する監視制御装置は、新たな伝送装置にＩＰ（Internet Protocol）アドレスが割り当てられるまで新たな伝送装置を認識することができない。そこで、伝送装置の設置者が、設置現場まで出向いて、ＩＰアドレスの割り当て等の初期設定を行う。
【０００３】
しかしながら、新たな伝送装置にＩＰアドレスを割り当てる作業において、設置者に一定の経験が要求される。そこで、リングネットワーク上に新たに設置される伝送装置に対してＩＰアドレスを自動的に割り当てる技術が開発されている。
【０００４】
例えば、リングネットワーク上に新たに設置されるノード装置は、事前に自ノードＩＤ（Identifier）という値が設定されるとともに、隣接するノード装置のノードＩＤである隣接ノードＩＤを取得する。そして、その新たに設置されるノード装置は、自ノードＩＤと隣接ノードＩＤとに基づいて、自ノード装置および隣接するノード装置のインタフェースのＩＰアドレスを自動的に決定するという技術が知られている（例えば、特許文献１参照）。
【先行技術文献】
【特許文献】
【０００５】
【特許文献１】特開２００９−１７１３９８号公報
【発明の概要】
【発明が解決しようとする課題】
【０００６】
しかしながら、従来技術では、ＩＰアドレスをノード装置に割り当てるにあたり、設置者が、使用されていない空きの自ノードＩＤを探して設定しなければならない。
【０００７】
上記従来技術が有する問題に鑑み、本件開示は、新規に設置される伝送装置にＩＰアドレスを、従来に比べて容易かつ迅速に割り当てることができる技術を提供することを目的とする。
【課題を解決するための手段】
【０００８】
本件開示の伝送システムの一態様は、ネットワーク上に配置される複数の伝送装置と、ネットワークを監視し制御する制御装置と、を備え、各伝送装置は、複数の伝送装置の識別情報の一覧およびネットワークにおけるアドレス情報の一覧を有し、ネットワーク上に新規の伝送装置が設置される場合、制御装置より新規の伝送装置の識別情報を取得して識別情報の一覧に追加し、新規の伝送装置よりネットワーク上におけるアドレス情報の割り当てを要求する要求信号を受信すると、識別情報の一覧およびアドレス情報の一覧に基づいて、新規の伝送装置のアドレス情報を割り当てる。
【０００９】
本件開示の伝送装置の一態様は、ネットワークとデータを送受信する送受信部と、少なくとも自装置の識別情報を記憶する記憶部と、データの送受信を制御する制御部と、を備え、制御部は、自装置がネットワーク上に新規に設置される場合、ネットワーク上におけるアドレス情報の割り当てを要求する要求信号を生成して要求信号に識別情報を付加し、識別情報が付加された要求信号をネットワーク上の既存の伝送装置に送信し、既存の伝送装置に自装置のアドレス情報を割り当てさせる。
【発明の効果】
【００１０】
本件開示の伝送システムおよび伝送装置は、新規に設置される伝送装置にＩＰアドレスを、従来に比べて容易かつ迅速に割り当てることができる。
【図面の簡単な説明】
【００１１】
【図１】伝送システムの一実施形態を示す図である。
【図２】図１に示した伝送装置の一実施形態を示す図である。
【図３】図１に示した制御部の一実施形態を示す図である。
【図４】図１に示した伝送システムにおける設定動作を表す流れ図である。
【発明を実施するための形態】
【００１２】
以下、図面に基づいて、本件開示の実施形態について詳細に説明する。
【００１３】
図１は、本件開示の伝送システム１００の一実施形態を示す。
【００１４】
図１に示す伝送システム１００は、監視制御装置１０、伝送装置２０（２０ａ，２０ｂ，２０ｃ，２０ｄ）、および光ファイバ等の伝送路３０（３０ａ，３０ｂ，３０ｃ，３０ｄ）を有する。監視制御装置１０は、伝送装置２０ａに接続されている。なお、監視制御装置１０は、他の伝送装置２０ｂ〜伝送装置２０ｄのいずれかに接続されてもよい。伝送装置２０は、伝送路３０ａ〜伝送路３０ｄでリング状に接続されてリングネットワークを形成する。例えば、伝送路３０を伝送する光信号は、ＳＯＮＥＴ（Synchronous Optical Network）／ＳＤＨ（Synchronous Digital Hierarchy）規格等の波長分割多重信号である。
【００１５】
監視制御装置１０は、伝送システム１００のリングネットワーク上に配置される伝送装置２０ａ〜伝送装置２０ｄを統括的に監視して制御するコンピュータである。監視制御装置１０は、伝送装置２０ａ〜伝送装置２０ｄをそれぞれ制御する制御信号を、伝送装置２０ａを介して、時計回りと反時計回りとの双方向に伝送路３０ａ〜伝送路３０ｄに出力する。監視制御装置１０は、リングネットワーク上に配置される既存の伝送装置２０ａ〜伝送路２０ｄから、各伝送装置２０のＭＡＣ（Media Access Control）アドレスおよびＩＰアドレスを予め取得し記憶する。また、監視制御装置１０は、取得した各伝送装置２０のＭＡＣアドレスおよびＩＰアドレスを伝送装置２０ａ〜伝送装置２０ｄにそれぞれ送信する。伝送装置２０ａ〜伝送装置２０ｄは、受信したＭＡＣアドレスの一覧であるＭＡＣアドレステーブル、および受信したＩＰアドレスの一覧であるＩＰアドレステーブルを生成し記憶する。なお、監視制御装置１０は、制御装置の一例である。また、ＭＡＣアドレスは、識別情報の一例であり、ＩＰアドレスは、アドレス情報の一例である。
【００１６】
図２は、図１に示した伝送装置２０ａの一実施形態を示す。伝送装置２０ａは、制御部２１、記憶部２２、受信部２３ａ，２３ｂ、送信部２４ａ，２４ｂおよび入出力インタフェース（入出力ＩＦ（Interface））２５を有する。なお、伝送装置２０ｂ〜伝送装置２０ｄについても、伝送装置２０ａと同様であり、詳細な説明は省略する。伝送装置２０ａは、入出力ＩＦ２５を介して、監視制御装置１０と情報がやり取りできるように接続される。また、伝送装置２０ａ〜伝送装置２０ｄの入出力ＩＦ２５には、他のコンピュータ等の端末装置が接続されていることが好ましい。
【００１７】
例えば、制御部２１は、記憶部２２に記憶された制御プログラムを実行することにより、伝送装置２０ａの各部を統括的に制御するプロセッサである。
【００１８】
記憶部２２は、例えば、制御プログラムに加えて、ＭＡＣアドレステーブルおよびＩＰアドレステーブル等を記憶する。記憶部２２には、例えば、ハードディスクや光磁気ディスク装置等である。
【００１９】
受信部２３ａ，２３ｂは、伝送路３０を時計回りおよび反時計回りに伝送する波長分割多重信号を受信し、自装置宛の制御信号やデータ信号を有する波長の光信号を分離する。受信部２３ａ，２３ｂは、制御部２１の制御に基づいて、分離した光信号から制御信号やデータ信号を抽出して、抽出した制御信号やデータ信号を入出力ＩＦ２５に出力する。
【００２０】
送信部２４ａ，２４ｂは、受信部２３ａ，２３ｂから出力される波長分割多重信号を隣接する伝送装置２０ｂ，２０ｄに送信する。また、送信部２４ａ，２４ｂは、入出力ＩＦ２５に接続される監視制御装置１０や上述の端末装置から受信する制御信号やデータ信号を波長分割多重信号に結合し隣接する伝送装置２０ｂ，２０ｄに送信する。なお、受信部２３ａ，２３ｂおよび送信部２４ａ，２４ｂは、送受信部の一例を示す。
【００２１】
また、本実施形態では、監視制御装置１０、上述の端末装置、および伝送装置２０ａ〜伝送装置２０ｄの制御部２１が出力する制御信号およびデータ信号は、例えば、イーサネット（登録商標）形式のフレームである。さらに、伝送路３０ａ〜伝送路３０ｄを伝送する波長分割多重信号は、例えば、３２波長以上の光信号を含むＷＤＭ（Wavelength Division Multiplexing）信号である。そして、受信部２３ａ，２３ｂおよび送信部２４ａ，２４ｂは、ＷＤＭ信号を各波長の光信号に分離したり結合したりするＯＡＤＭ (Optical Add Drop Multiplexer)等に含まれてもよい。
【００２２】
図３は、図２に示した制御部２１の例を示す。すなわち、制御部２１は、記憶部２２に記憶された制御プログラムにより、例えば、図３に示すように、生成部４０、判定部４１、割当部４２および更新部４３として動作する。
【００２３】
生成部４０は、監視制御装置１０から受信した伝送装置２０ａ〜伝送装置２０ｄのＭＡＣアドレスを用いて、ＭＡＣアドレステーブルを生成し記憶部２２に記録する。また、新規の伝送装置（例えば、図１に示す伝送装置２０ｅ）が伝送システム１００のリングネットワーク上に設置される場合、監視制御装置１０は、管理者による入力操作等に基づいて、その新規の伝送装置のＭＡＣアドレスを予め取得する。監視制御装置１０は、取得した新規の伝送装置のＭＡＣアドレスを伝送装置２０ａ〜伝送装置２０ｄに送信する。伝送装置２０ａの受信部２３ａまたは受信部２３ｂは、新規の伝送装置のＭＡＣアドレスを受信する。生成部４０は、受信した新規の伝送装置のＭＡＣアドレスを記憶部２２に記憶されているＭＡＣアドレステーブルに追加して更新する。
【００２４】
判定部４１は、伝送路３０ａおよび伝送路３０ｄを伝送する波長分割多重信号から受信部２３ａ，２３ｂが受信して分離した波長の光信号から、光信号に付加される送信先および送信元のＭＡＣアドレスを取得する。判定部４１は、記憶部２２に記憶されるＭＡＣアドレステーブルに基づいて、取得した送信元のＭＡＣアドレスが既存の伝送装置２０であることを確認する。そして、判定部４１は、記憶部２２に記憶されるＭＡＣアドレステーブルに基づいて、取得した送信先のＭＡＣアドレスが自装置のＭＡＣアドレスか否かを判定する。判定部４１は、送信先のＭＡＣアドレスが自装置のＭＡＣアドレスの場合、受信部２３ａ，２３ｂに受信した光信号に格納されている制御信号やデータ信号を抽出させ、入出力ＩＦ２５を介して監視制御装置１０や上述の端末装置に出力させる。一方、判定部４１は、送信先のＭＡＣアドレスが自装置のＭＡＣアドレスでない場合、受信した光信号は他の伝送装置２０宛の信号であると判定し、受信部２３ａ，２３ｂに受信した光信号を破棄させる。
【００２５】
ところで、本実施形態では、図４で説明するリングネットワーク上に新規に設置された伝送装置は、ＩＰアドレスを有しないことから、既存の伝送装置２０ａ〜伝送装置２０ｄに対して、ＩＰアドレスの割り当てを要求する要求信号を波長分割多重して送信する。なお、リングネットワーク上に新規に設置された伝送装置は、割り当てを要求する要求信号を送信するにあたり、例えば、自装置のＭＡＣアドレスを付加し伝送路３０にブロードキャストで送信する。判定部４１は、記憶部２２に記憶されるＭＡＣアドレステーブルに基づいて、受信した光信号に付加された送信元のＭＡＣアドレスが新規に設置された伝送装置であることを確認できる。そして、判定部４１は、受信した光信号がＩＰアドレスの割り当てを要求する要求信号であると判定する。
【００２６】
割当部４２は、上述の判定部４１による判定結果に基づいて、記憶部２２に記憶されるＩＰアドレステーブルを参照して空きのＩＰアドレスを検索する。割当部４２は、検索した空きのＩＰアドレスを新規に設置された伝送装置のＩＰアドレスに割り当てる。
【００２７】
更新部４３は、監視制御装置１０から受信した伝送装置２０ａ〜伝送装置２０ｄのＩＰアドレスを用いて、ＩＰアドレステーブルを生成し記憶部２２に記憶する。また、図４で説明するように、新規の伝送装置は、リングネットワーク上に設置されＩＰアドレスが設定されると、監視制御装置１０および伝送装置２０ａ〜伝送装置２０ｄに、伝送路３０ａ〜伝送路３０ｄを介して、設定されたＩＰアドレスを通知する。更新部４３は、受信部２３ａまたは受信部２３ｂを介して、受信された新規の伝送装置のＩＰアドレスを、記憶部２２に記憶するＩＰアドレステーブルに追加して更新する。
【００２８】
次に、図１に示すように、伝送装置２０ｅが伝送路３０ａ上に新たに設置される場合の伝送システム１００における設定動作について、図４の流れ図を参照して説明する。なお、伝送装置２０ｅは、図２に示したように、既存の伝送装置２０ａ〜２０ｄと同等の形態を有する。また、伝送路３０ａ上に伝送装置２０ｅを設置する場合について説明するが、伝送装置２０ｅが他の伝送路３０ｂ〜伝送路３０ｄ上に設置される場合についても同様である。さらに、以下の説明において、伝送装置２０ａ〜伝送装置２０ｄは、新規の伝送装置２０ｅに対するＩＰアドレスの割り当て動作を行う優先順位が監視制御装置１０により予め設定されているものとする。例えば、監視制御装置１０が接続されている伝送装置２０ａが、最も高い優先順位が設定され、ＩＰアドレスの割り当て動作を行うものとする。一方、他の伝送装置２０ｂ〜伝送装置２０ｄは、互いに同じ下位の優先順位が設定されているものとする。
【００２９】
ステップＳ１０１において、監視制御装置１０は、管理者による入力操作等に基づいて、伝送装置２０ｅのＭＡＣアドレスを取得する。監視制御装置１０は、取得した伝送装置２０ｅのＭＡＣアドレスを、イーサネットフレームのデータ領域に格納して伝送装置２０ａに送信する。
【００３０】
ステップＳ２０１において、伝送装置２０ａの制御部２１は、入出力ＩＦ２５を介して、監視制御装置１０よりイーサネットフレームを受信する。伝送装置２０ａの制御部２１は、受信したイーサネットフレームを一の波長の光信号に変換して送信部２４ａ，２４ｂに入力する。送信部２４ａ，２４ｂは、入力された光信号をＷＤＭ信号に結合して、ＷＤＭ信号を伝送路３０ａと伝送路３０ｄとにそれぞれ出力する。なお、伝送装置２０ａの制御部２１は、送信の際、例えば、イーサネットフレームの宛先アドレス領域を［ＦＦ：ＦＦ：ＦＦ：ＦＦ：ＦＦ：ＦＦ］等と設定してブロードキャストで送信するのが好ましい。ここで、「Ｆ」は１６進数を示す。
【００３１】
伝送装置２０ａ〜伝送装置２０ｄの受信部２３ａまたは受信部２３ｂは、伝送するＷＤＭ信号を受信して、伝送装置２０ｅのＭＡＣアドレスを有するイーサネットフレームの光信号を受信して分離する。判定部４１は、イーサネットフレームの宛先アドレス領域に基づいて、受信したイーサネットフレームが自装置宛と判定する。生成部４０は、受信したイーサネットフレームのデータ領域から新規の伝送装置２０ｅのＭＡＣアドレスを抽出し、記憶部２２に記憶されるＭＡＣアドレステーブルに追加して更新する。
【００３２】
ステップＳ３０１において、伝送装置２０ｅは、伝送路３０ａ上に設置され設置者により電源が投入されると、伝送装置２０ｅの制御部２１は、記憶部２２に記憶されている制御プログラムを実行し、伝送装置２０ｅを初期化する。制御部２１は、自装置にＩＰアドレスが設定されていないことを確認する。制御部２１は、データ領域が空欄で、送信元アドレス領域に伝送装置２０ｅのＭＡＣアドレスを格納したイーサネットフレームを、ＩＰアドレスの割り当てを要求する要求信号として生成する。制御部２１は、生成したイーサネットフレームを光信号に変換して送信部２４ａ，２４ｂに入力する。送信部２４ａ，２４ｂは、入力された光信号をＷＤＭ信号に結合して、ＷＤＭ信号を伝送路３０ａに時計回りおよび反時計回りにそれぞれ出力する。なお、生成されるイーサネットフレームは、宛先アドレス領域が、例えば、［ＦＦ：ＦＦ：ＦＦ：ＦＦ：ＦＦ：ＦＦ］等と設定されブロードキャストで送信されるのが好ましい。
【００３３】
ステップＳ２０２において、伝送装置２０ａの受信部２３ａまたは受信部２３ｂは、伝送するＷＤＭ信号を受信して、伝送装置２０ｅからの要求信号であるイーサネットフレームの光信号をＷＤＭ信号から分離する。判定部４１は、イーサネットフレームの宛先アドレス領域に基づいて、自装置宛と判定する。判定部４１は、イーサネットフレームの送信元アドレス領域のＭＡＣアドレスと記憶部２２に記憶されるＭＡＣアドレステーブルとを比較し、イーサネットフレームを送信した伝送装置２０ｅが新規の伝送装置か否かを判定する。判定部４１が、伝送装置２０ｅが新規の伝送装置であると判定すると、割当部４２は、記憶部２２に記憶されるＩＰアドレステーブルを参照して、伝送システム１００において空きのＩＰアドレスを検索し、検索したＩＰアドレスを伝送装置２０ｅに割り当てる。一方、判定部４１が、イーサネットフレームの送信元アドレス領域のＭＡＣアドレスが既存の他の伝送装置２０であると判定した場合、受信部２３ａまたは受信部２３ｂは、イーサネットフレームを入出力ＩＦ２５に出力する。
【００３４】
なお、伝送装置２０ｂ〜伝送装置２０ｄが要求信号を含むイーサネットフレームを受信した場合、伝送装置２０ｂ〜伝送装置２０ｄの判定部４１は、伝送装置２０ａの判定部４１と同様に、受信したイーサネットフレームが新規の伝送装置２０ｅからの要求信号であると判定する。しかしながら、伝送装置２０ｂ〜伝送装置２０ｄの制御部２１は、自装置に設定されているＩＰアドレスの割り当て動作の優先順位が下位であることから、受信したイーサネットフレームを、送信部２４ａ，２４ｂを介して隣接する伝送装置２０に送信する。
【００３５】
ステップＳ２０３において、伝送装置２０ａの制御部２１は、割当部４２により割り当てられたＩＰアドレスを伝送装置２０ｅに送信する。
【００３６】
ここで、ＩＰアドレスは３２ビットのデータであることから、伝送装置２０ａの制御部２１は、３２個の１ビットデータに分解する。制御部２１は、宛先アドレス領域に伝送装置２０ｅのＭＡＣアドレスが格納され、データ領域に分解されたＩＰアドレスの１ビットデータが格納された３２個のイーサネットフレームを生成する。制御部２１は、３２個のイーサネットフレームを３２個の波長の光信号に変換して、送信部２４ａ，２４ｂに入力する。送信部２４ａ，２４ｂは、３２個の波長の光信号をＷＤＭ信号に結合して、ＷＤＭ信号を伝送路３０ａおよび伝送路３０ｄに時計回りおよび反時計回りにそれぞれ出力する。制御部２１が、伝送装置２０ｅのＩＰアドレスを３２個のイーサネットフレームで分割して並列に送信することで、伝送システム１００に負荷をかけずに送信することができる。
【００３７】
ステップＳ３０２において、伝送装置２０ｅの受信部２３ａまたは受信部２３ｂは、伝送するＷＤＭ信号を受信して、伝送装置２０ａからの３２個のイーサネットフレームを有する３２個の波長の光信号をＷＤＭ信号から分離する。判定部４１は、３２個のイーサネットフレームの宛先アドレス領域に基づいて自装置宛と判定する。伝送路３０ｅの制御部２１は、３２個のイーサネットフレームのデータ領域に格納されている１ビットデータを抽出して再構築しＩＰアドレスを取得する。制御部２１は、そのＩＰアドレスを伝送装置２０ｅのＩＰアドレスとして設定する。
【００３８】
ステップＳ３０３において、伝送装置２０ｅの制御部２１は、設定したＩＰアドレスを監視制御装置１０および既存の伝送装置２０ａ〜伝送装置２０ｄに通知する。例えば、伝送装置２０ｅの制御部２１は、データ領域に設定したＩＰアドレスを格納し、送信元アドレス領域に伝送装置２０ｅのＭＡＣアドレスを格納したイーサネットフレームを生成する。制御部２１は、生成したイーサネットフレームを光信号に変換して送信部２４ａ，２４ｂに入力する。送信部２４ａ，２４ｂは、入力された光信号をＷＤＭ信号に結合して、ＷＤＭ信号を伝送路３０ａに時計回りおよび反時計回りにそれぞれ出力する。なお、イーサネットフレームは、宛先アドレス領域が、例えば、［ＦＦ：ＦＦ：ＦＦ：ＦＦ：ＦＦ：ＦＦ］等と設定されブロードキャストで送信されるのが好ましい。
【００３９】
ステップＳ２０４において、伝送装置２０ａ〜伝送装置２０ｄの受信部２３ａまたは受信部２３ｂは、伝送するＷＤＭ信号を受信して、伝送装置２０ｅからのイーサネットフレームを有する光信号を分離する。判定部４１は、イーサネットフレームの宛先アドレス領域に基づいて自装置宛と判定する。伝送装置２０ａ〜伝送装置２０ｄの更新部４３は、データ領域に格納されている伝送装置２０ｅのＩＰアドレスを、記憶部２２に記憶するＩＰアドレステーブルに追加して更新する。
【００４０】
一方、監視制御装置１０は、ステップＳ１０２において、伝送装置２０ａの入出力ＩＦ２５を介して、伝送装置２０ｅのＩＰアドレスを有するイーサネットフレームを受信する。監視制御装置１０は、伝送装置２０ｅのＩＰアドレスを取得し記録する。
【００４１】
ステップＳ１０３において、監視制御装置１０は、監視制御装置１０と既存の伝送装置２０ａ〜伝送装置２０ｄとのＭＡＣアドレスおよびＩＰアドレスのデータを、伝送装置２０ａを介して、伝送装置２０ｅに送信する。
【００４２】
ステップＳ３０４において、伝送装置２０ｅの生成部４０および更新部４３は、受信したイーサネットフレームに格納されたデータに基づいて、自装置のＭＡＣアドレスおよびＩＰアドレスを含むＭＡＣアドレステーブルおよびＩＰアドレステーブルを生成し、記憶部２２に記録する。そして、伝送システム１００は一連の設定動作を終了する。
【００４３】
本実施形態では、既存の伝送装置２０ａ〜２０ｄが、新規に設置される伝送装置２０ｅのＭＡＣアドレスを予め取得することで、伝送装置２０ｅからの要求信号の受信を契機として、従来に比べてＩＰアドレスを容易かつ迅速に割り当てることができる。
【００４４】
また、伝送装置２０ａの制御部２１が、伝送装置２０ｅのＩＰアドレスを複数のイーサネットフレームで分割して並列に送信することで、伝送システム１００の負荷を従来に比べて小さくして、伝送装置２０ｅにＩＰアドレスを割り当てて設定することができる。
【００４５】
なお、本実施形態では、伝送システム１００は、伝送装置２０ａ〜２０ｄが伝送するＷＤＭ信号を、光ファイバ等の伝送路３０ａ〜３０ｄで時計回りおよび反時計回りの双方向に伝送させた。しかしながら、これに限定されることなく、例えば、伝送路３０は、ＯＵＰＳＲ（Optical Unidirectional Path Switched Ring）やＢＬＳＲ（Bidirectional Line Switched Ring）方式のような多重化された伝送路であってもよい。
【００４６】
また、本実施形態では、図４に示したステップＳ１０３において、伝送装置２０ｅの制御部２１が、要求信号として、データ領域が空欄のイーサネットフレームを生成した。しかしながら、これに限定されることなく、例えば、制御部２１は、要求信号であることを示す符号をデータ領域に格納したイーサネットフレームを生成してもよい。
【００４７】
また、図４に示したステップＳ２０３において、伝送装置２０ａの制御部２１は、伝送装置２０ｅに割り当てたＩＰアドレスを１ビットデータに分割し、並列に伝送装置２０ｅに送信したが、これに限定されない。例えば、伝送装置２０ａの制御部２１は、伝送装置２０ｅに割り当てたＩＰアドレスを１つのイーサネットフレームで送信してもよいし、ＩＰアドレスを２ビット等のデータサイズに分割して並列に送信してもよい。
【００４８】
同様に、図４に示したステップＳ２０１において、伝送装置２０ａの制御部２１は、監視制御装置１０から受信した伝送装置２０ｅのＭＡＣアドレスのデータを、所定のビット数に分割して複数のイーサネットフレームを生成する。伝送装置２０ａは、生成した複数のイーサネットフレームを伝送装置２０ｂ〜２０ｄに送信してもよい。また、図４に示したステップＳ３０３において、伝送装置２０ｅの制御部２１は、設定したＩＰアドレスを分割して複数のイーサネットフレームで、監視制御装置１０および伝送装置２０ａ〜２０ｄに並列に送信してもよい。さらに、図４に示したステップＳ１０３において、伝送装置２０ａの制御部２１は、監視制御装置１０から受信した監視制御装置１０と伝送装置２０ａ〜２０ｄとのＭＡＣアドレスおよびＩＰアドレスのデータを分割して並列に伝送装置２０ｅに送信してもよい。
【００４９】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００５０】
１０…監視制御装置；２０ａ〜２０ｅ…伝送装置；２１…制御部；２２…記憶部；２３ａ，２３ｂ…受信部；２４ａ，２４ｂ…送信部；２５…入出力ＩＦ；３０ａ〜３０ｄ…伝送路；４０…生成部；４１…判定部；４２…割当部；４３…更新部；１００…伝送システム
【図１】
2014127811.tif 000003
【図２】
2014127811.tif 000004
【図３】
2014127811.tif 000005
【図４】
2014127811.tif 000006